(57)【特許請求の範囲】
【請求項１】
所定の通信回線を通じて画像データを送信する画像送信装置であって、
複数の画像データを入力する入力手段と、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、を設けたオーダシートを印刷する印刷手段と、
前記オーダシートを読み込んで、該読み込まれたオーダシート中の前記画像指定欄と前記送信先指定欄と前記サーバアドレス欄とに記入された事項を解析する読込手段と、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する送信手段と
を備える画像送信装置。
【請求項２】
請求項１に記載の画像送信装置であって、
前記印刷手段は、前記オーダシートに対して、更に、ユーザのメールアドレスを記入する自己アドレス欄を印刷し、
前記読込手段は、更に、前記読み込まれたオーダシート中の前記自己アドレス欄に記入された事項を解析し、
前記送信手段は、前記自己アドレス欄に記入されたメールアドレスを前記電子メールに付与して、前記電子メールの送信を行う
画像送信装置。
【請求項３】
請求項１または請求項２に記載の画像送信装置であって、
前記オーダシートの送信先指定欄は、前記電子メールアドレスが手書きの文字で記入される欄であり、
前記読込手段は、前記送信先指定欄に手書きで記入された電子メールアドレスを、テキスト形式に変換する手段を備える
画像送信装置。
【請求項４】
請求項１ないし請求項３のいずれかに記載の画像送信装置であって、
前記印刷手段は、更に、前記オーダシートに、前記電子メールに含ませるメッセージを記入する本文記入欄を印刷し、
前記読込手段は、更に、前記読み込まれたオーダシート中の前記本文記入欄に記入された事項を解析し、
前記送信手段は、前記電子メールに前記本文記入欄に記入されたメッセージを含ませて、前記電子メールの送信を行う
画像送信装置。
【請求項５】
請求項１ないし請求項３のいずれかに記載の画像送信装置であって、
前記印刷手段は、前記オーダシートに対して、更に、前記電子メールの件名を記入する件名記入欄と、前記電子メールの本文を記入する本文記入欄と、を印刷し、
前記読込手段は、更に、前記読み込まれたオーダシート中の前記件名記入欄と前記本文記入欄とに記入された事項を解析し、前記件名記入欄については、該件名記入欄に手書きされた件名をテキスト形式に変換する文字認識処理を行い、前記本文記入欄に手書きされた本文については、前記本文を画像データとして読み込み、
前記送信手段は、前記テキスト形式に変換された件名と、画像データとして読み込まれた前記本文とを、前記電子メールに付与して、前記電子メールの送信を行う
画像送信装置。
【請求項６】
請求項１ないし請求項５のいずれかに記載の画像送信装置であって、
更に、前記電子メールアドレスを記憶する他の装置から該電子メールアドレスを取得する手段を備え、
前記印刷手段は、前記取得した電子メールアドレスのリストを前記送信先指定欄に印刷する
画像送信装置。
【請求項７】
請求項１ないし請求項６のいずれかに記載の画像送信装置であって、
前記印刷手段は、前記画像データ毎に、前記送信先の指定を行うマーキング欄を印刷し、
前記読込手段は、更に、前記読み込まれたオーダシート中の前記マーキング欄に記入された事項を解析し、
前記送信手段は、前記送信先毎に、前記マーキング欄によって指定された画像データを送信する
画像送信装置。
【請求項８】
請求項１ないし請求項７のいずれかに記載の画像送信装置であって、
前記印刷手段は、更に、前記オーダシートに、前記送信を行う画像データのサイズを調整するサイズ調整欄を印刷し、
前記読込手段は、更に、前記読み込まれたオーダシート中の、前記サイズ調整欄に記入された事項を解析し、
前記送信手段は、前記指定された画像データのサイズを、前記サイズ調整欄によって指定されたサイズに従って調整して、前記送信を行う
画像送信装置。
【請求項９】
印刷装置とスキャナとを備える画像送信装置が画像データを送信する方法であって、
複数の画像データを入力し、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、を設けたオーダシートを前記印刷装置によって印刷し、
前記スキャナによって前記オーダシートを読み込んで、該読み込まれたオーダシート中の前記画像指定欄と前記送信先指定欄と前記サーバアドレス欄とに記入された事項を解析し、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する
画像送信方法。
【請求項１０】
印刷装置とスキャナとを用いてコンピュータが画像データを送信するためのプログラムであって、
複数の画像データを入力する機能と、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、設けたオーダシートを前記印刷装置によって印刷する機能と、
前記スキャナによって前記オーダシートを読み込んで、該読み込まれたオーダシート中の前記画像指定欄と前記送信先指定欄と前記サーバアドレス欄とに記入された事項を解析する機能と、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する機能と
をコンピュータに実現させるためのコンピュータプログラム。
【請求項１１】
請求項１０に記載のコンピュータプログラムを記録したコンピュータ読み取り可能な記録媒体。
【請求項１２】
所定の通信回線を通じて画像データを送信する印刷装置であって、
複数の画像データを入力する入力手段と、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、を設けたオーダシートを印刷する印刷手段と、
前記オーダシートを読み込んで、該読み込まれたオーダシート中の前記画像指定欄と前記送信先指定欄と前記サーバアドレス欄とに記入された事項を解析する読込手段と、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する送信手段と
を備える印刷装置。
【請求項１３】
所定の通信回線を通じて画像データを送信するファクシミリ装置であって、
複数の画像データを入力する入力手段と、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、を設けたオーダシートを印刷する印刷手段と、
前記オーダシートを読み込んで、該読み込まれたオーダシート中の前記画像指定欄と前記送信先指定欄と前記サーバアドレス欄とに記入された事項を解析する読込手段と、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する送信手段と
を備えるファクシミリ装置。
【発明の詳細な説明】
【技術分野】
【０００１】
本発明は、所定の通信回線を通じて画像データを送信する技術に関する。
【背景技術】
【０００２】
近年、インターネットの普及により、デジタルカメラ等によって撮影した画像データを、電子メールに添付して送信することが頻繁に行われている。
【０００３】
しかし、画像データを電子メール添付して送信するには、通常、コンピュータの操作に習熟している必要があり、コンピュータの操作に不慣れなものにとっては、非常に敷居の高い行為であった。
【０００４】
このような問題に関連して、下記特許文献１には、ファクシミリ装置の表示部に、画像データや電子メールアドレスの一覧を表示し、その中からユーザに送信する画像データの選択および送信先の選択を行わせることで、ファクシミリ装置を用いて画像データを送信する技術が開示されている。
【０００５】
【特許文献１】特開２００５−１３６７０２号公報
【０００６】
しかし、ファクシミリ装置等の表示部は、通常、小さなサイズであることが多く、その表示部の中から送信する画像データを指定することは、困難を伴う場合があった。
【発明の開示】
【発明が解決しようとする課題】
【０００７】
このような問題を考慮し、本発明が解決しようとする課題は、所定の通信回線を通じて送信する画像データの選択を容易にすることにある。
【課題を解決するための手段】
【０００８】
上記課題を踏まえ、本発明の画像送信装置を次のように構成した。すなわち、
所定の通信回線を通じて画像データを送信する画像送信装置であって、
複数の画像データを入力する入力手段と、
前記入力した画像データのうち、前記送信を行う画像データを指定する画像指定欄と、電子メールアドレスによって表される送信先を指定する送信先指定欄と、電子メールの送信を行う外部のメールサーバのアドレスを指定するサーバアドレス欄と、を設けたオーダシートを印刷する印刷手段と、
前記オーダシートを読み込んで、該読み込まれたオーダシート中の前記画像指定欄と前記送信先指定欄と前記サーバアドレス欄とに記入された事項を解析する読込手段と、
前記解析の結果に基づき、前記サーバアドレス欄によってアドレスが指定された外部のメールサーバを介して、前記画像指定欄によって指定された画像データを、電子メールに添付して、前記送信先指定欄によって指定された送信先に送信する送信手段と
を備えることを要旨とする。
【０００９】
本発明の画像送信装置では、送信を行うべき画像データを指定する画像指定欄を設けたオーダシートが印刷される。ユーザは、このオーダシートを用いて画像データの指定を行う。画像送信装置は、このオーダシートを読込手段によって読み込むと、そのオーダシートによって指定された画像データを所定の送信先に対して送信する。このような構成の画像送信装置によれば、オーダシートを用いることで、ユーザは、送信を行う画像データの指定を容易に行うことが可能になる。
【００１０】
上記構成の画像送信装置において、
前記印刷手段は、前記画像指定欄に加えて前記オーダシートに、前記送信先を指定する送信先指定欄を印刷し、
前記送信手段は、前記送信先指定欄によって指定された送信先に対して、前記指定された画像データを送信する手段であるものとしてもよい。
【００１１】
このような構成であれば、画像データを送信する送信先の指定もオーダシートを用いて行うことができるので、容易に画像データの送信先を指定することが可能になる。
【００１２】
上記構成の画像送信装置において、
前記送信先は、電子メールアドレスによって表されるものであり、
前記送信手段は、前記電子メールアドレスによって表された送信先に対して、前記指定された画像データを電子メールに添付して送信を行う手段であるものとしてもよい。
【００１３】
このような構成であれば、コンピュータの操作に不慣れな者であっても、容易に画像データを電子メールに添付して送信することができる。
【００１４】
上記構成の画像送信装置において、
前記オーダシートの送信先指定欄は、前記電子メールアドレスが手書きの文字で記入される欄であり、
前記読込手段は、前記送信先指定欄に手書きで記入された電子メールアドレスを、テキスト形式に変換する手段を備えるものとしてもよい。
【００１５】
このような構成であれば、オーダシートに対して、手書きにより電子メールアドレスを記入することができるので、コンピュータの操作に不慣れな者であっても容易に所望の送信先に画像データを送信することが可能になる。
【００１６】
上記構成の画像送信装置において、
前記印刷手段は、更に、前記オーダシートに、前記電子メールに含ませるメッセージを記入する欄を印刷し、
前記送信手段は、前記電子メールに前記メッセージを含ませて、前記送信を行うものとしてもよい。
【００１７】
このような構成であれば、画像データ以外にも、様々なメッセージを電子メールに含ませて送信することが可能になる。このメッセージには、例えば、電子メールの件名や本文等が含まれる。
【００１８】
上記構成の画像送信装置において、
前記印刷手段は、更に、前記オーダシートに、前記電子メールの送信を行うサーバのアドレスを指定する欄を印刷し、
前記送信手段は、前記指定されたサーバを経由して、前記電子メールの送信を行うものとしてもよい。
【００１９】
このような構成であれば、コンピュータの操作に不慣れな者であっても、電子メールの送信を行うサーバの設定を容易に行うことができる。
【００２０】
上記構成の画像送信装置において、
更に、前記電子メールアドレスを記憶する他の装置から該電子メールアドレスを取得する手段を備え、
前記印刷手段は、前記取得した電子メールアドレスのリストを前記送信先指定欄に印刷するものとしてもよい。
【００２１】
このような構成によれば、送信先として指定する電子メールアドレスのリストを他の装置から取得することができるので、取得したアドレスの中から容易に送信先を選択することが可能になる。電子メールアドレスを記憶する他の装置としては、例えば、携帯電話やＰＤＡ（Personal Digital Assistance）等の携帯情報端末、コンピュータなどの装置がある。
【００２２】
上記構成の画像送信装置において、
前記印刷手段は、前記画像データ毎に、前記送信先の指定を行うマーキング欄を印刷し、
前記送信手段は、前記送信先毎に該送信先に応じた画像データを送信するものとしてもよい。
【００２３】
このような構成によれば、送信先毎に異なる画像データを送信することが可能になる。
【００２４】
上記構成の画像送信装置において、
前記印刷手段は、更に、前記オーダシートに、前記送信を行う画像データのサイズを指定する欄を印刷し、
前記送信手段は、前記指定された画像データのサイズを、前記指定されたサイズに従って調整して、前記送信を行うものとしてもよい。
【００２５】
このような構成によれば、送信する画像データのデータ容量を制限することができるので、通信回線上の通信量を削減することが可能になる。
【００２６】
なお、本発明は、上述した画像送信装置としての構成のほか、印刷装置とスキャナとを備える画像送信装置が画像を送信する画像送信方法や、コンピュータプログラムとしても構成することができる。かかるコンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００２７】
以下、上述した本発明の作用・効果を一層明らかにするため、本発明の実施の形態を実施例に基づき次の順序で説明する。
Ａ．印刷装置の構成：
Ｂ．画像データ送信処理：
Ｃ．変形例：
【００２８】
Ａ．印刷装置の構成：
図１は、本発明の画像送信装置としての印刷装置１００の構成を示す説明図である。印刷装置１００は、いわゆる複合機タイプの印刷装置であり、光学的に画像を読み込むスキャナ１１０や、画像データの記録されたメモリカードＭＣを挿入するためのメモリカードスロット１２０、携帯電話ＣＰとＩｒＤＡ（Infrared Data Association）規格に準拠した赤外線通信を行うための赤外線インタフェース１３０、インターネットＩＮに接続するためのネットワークインタフェース１３５等を備えている。印刷装置１００は、スキャナ１１０によって取り込んだ画像や、メモリカードＭＣから読み取った画像等の印刷を行うことができる。
【００２９】
印刷装置１００は、印刷に関する種々の操作を行うための操作パネル１４０を備えている。操作パネル１４０の中央部には、液晶モニタ１４５が備えられている。この液晶モニタ１４５には、メモリカードＭＣ等から読み取った画像データや、印刷装置１００の各種機能を利用する際のＧＵＩ（グラフィカルユーザインタフェース）が表示される。
【００３０】
印刷装置１００は、ネットワークインタフェース１３５を介してインターネットＩＮに接続されている。このインターネットＩＮには、メールサーバＳＶや種々のコンピュータＰＣ１〜ＰＣ３が接続されている。メールサーバＳＶは、いわゆるＳＭＴＰ（Simple Mail Transfer Protocol）サーバであり、電子メールの送信を行うためのサーバである。印刷装置１００は、このメールサーバＳＶを経由して、メモリカードＭＣ等から入力した画像データを電子メールに添付し、コンピュータＰＣ１〜ＰＣ３等に送信する機能を有する。ユーザは、印刷装置１００から出力されるオーダシートＳＴを用いて、送信を行う画像データを指定する。
【００３１】
また、印刷装置１００は、赤外線インタフェース１３０を介して、携帯電話ＣＰからメールアドレスのリストを取得することができる。印刷装置１００は、このリストの中から選択されたメールアドレスに対して、画像データを添付した電子メールを送信することができる。
【００３２】
図２は、印刷装置１００の内部構成を示す説明図である。図示するように、印刷装置１００は、印刷用紙Ｐに印刷を行う機構として、インクカートリッジ２１２を搭載したキャリッジ２１０や、キャリッジ２１０を主走査方向に駆動するキャリッジモータ２２０、印刷用紙Ｐを副走査方向に搬送する紙送りモータ２３０等を備えている。
【００３３】
キャリッジ２１０は、シアン、マゼンタ、イエロ、ブラック、ライトシアン、ライトマゼンタの色を現す各インクに対応して、計６種類のインクヘッド２１１を備えている。キャリッジ２１０には、これらのインクが収容されたインクカートリッジ２１２が装着されており、インクカートリッジ２１２からインクヘッド２１１に供給されたインクは、図示しないピエゾ素子を駆動することで印刷用紙Ｐに吐出される。
【００３４】
キャリッジ２１０は、プラテン２７０の軸方向と並行に設置された摺動軸２８０に移動自在に保持されている。キャリッジモータ２２０は、制御回路１５０からの指令に応じて駆動ベルト２６０を回転させることで、プラテン２７０の軸方向と平行に、すなわち、主走査方向にキャリッジ２１０を往復運動させる。
【００３５】
紙送りモータ２３０は、プラテン２７０を回転させることで、プラテン２７０の軸方向と垂直に印刷用紙Ｐを搬送する。つまり、紙送りモータ２３０は、キャリッジ２１０を相対的に副走査方向に移動させることができる。
【００３６】
印刷装置１００は、上述したインクヘッド２１１やキャリッジモータ２２０、紙送りモータ２３０の動作を制御するための制御回路１５０を備えている。制御回路１５０には、図１に示したスキャナ１１０やメモリカードスロット１２０、赤外線インタフェース１３０、ネットワークインタフェース１３５、操作パネル１４０、液晶モニタ１４５が接続されている。
【００３７】
制御回路１５０は、ＣＰＵ１６０とＲＯＭ１７０とＲＡＭ１８０とフラッシュメモリ１９０とによって構成されている。ＲＯＭ１７０には、印刷装置１００の動作を制御するための制御プログラムが記憶されている。ＣＰＵ１６０は、かかる制御プログラムをＲＡＭ１８０に展開して実行することで、後述する種々の処理を行う。ＣＰＵ１６０は、本願の「入力手段」、「印刷手段」、「読込手段」、「送信手段」に相当する。
【００３８】
フラッシュメモリ１９０は、メモリカードＭＣ等から取り込んだ画像データＩＭＧや、赤外線インタフェース１３０を介して携帯電話ＣＰから受信したメールアドレスＡＤＲのリストを記憶する記憶装置である。なお、本実施例では、記憶装置としてフラッシュメモリを備えるものとしたが、これに換えて、ハードディスクドライブ等の記憶装置を備えるものとしてもよい。また、メールアドレスＡＤＲは、携帯電話ＣＰ以外にも、印刷装置１００に接続されたコンピュータから取得してもよいし、操作パネル１４０を用いてユーザが入力するものとしてもよい。
【００３９】
Ｂ．画像データ送信処理：
図３は、ＣＰＵ１６０がＲＯＭ１７０に記憶された制御プログラムに基づき実行する電子メール送信処理のフローチャートである。この処理は、液晶モニタ１４５に表示されたＧＵＩの中から電子メール送信の機能が選択された場合に実行される処理である。
【００４０】
この処理が実行されると、まず、ＣＰＵ１６０は、液晶モニタ１４５に所定のＧＵＩを表示することにより、電子メールに添付する画像データと送信先のメールアドレスの予備選択をユーザに行わせる処理を行う（ステップＳ１００）。予備選択とは、後述するオーダシートＳＴによる画像データやメールアドレスの選択に先立ち、これらの大まかな範囲を選択することをいう。
【００４１】
図４は、上記ステップＳ１００において、ＣＰＵ１６０が液晶モニタ１４５に表示するＧＵＩの例を示す説明図である。図４（ａ）は、画像データの予備選択を行うためのＧＵＩを示している。このＧＵＩには、メニューとして、「最新５０枚」「直近１ヶ月」「フォルダ選択」と表示されている。「最新５０枚」とは、画像データの撮影日時を基準として最新の５０枚の画像データを選択することを表し、「直近１ヶ月」とは、画像データの撮影日時を基準として直近１ヶ月以内に撮影した画像データを選択することを表す。また、「フォルダ選択」とは、メモリカードＭＣもしくはフラッシュメモリ１９０内において画像データが保存されているフォルダを指定することを表す。
【００４２】
上述したメニューのうち、「フォルダ選択」がユーザによって選択されると、液晶モニタ１４５上のＧＵＩは、フォルダを選択するためのＧＵＩに切り替わる。画面切換後のＧＵＩを図４（ｂ）に示した。ここでは、３つのフォルダ、すなわち、「２００５０４」と「２００５１２」と「２００６０１」という名称のフォルダが表示されている例を示した。ユーザは、こうして表示されたフォルダの中から、所望の画像データが含まれたフォルダを選択する。
【００４３】
以上のＧＵＩによって、画像データの予備選択が終わると、ＣＰＵ１６０は、次に、メールアドレスの予備選択を行うためのＧＵＩを表示する。図４（ｃ）は、メールアドレスの予備選択を行うためのＧＵＩの例を示している。ＣＰＵ１６０は、フラッシュメモリ１９０に記憶されたメールアドレスのリストをこのＧＵＩに表示する。このＧＵＩには、３人分のメールアドレスと、「新規」という項目が表示されている例を示している。「新規」とは、前述のリストの中に含まれない送信先に対してメールを送信するために設けられた選択肢である。ユーザは、こうして表示されたメールアドレスのリストの中から、電子メールの送信を行う相手のメールアドレスをチェックボックスによって選択する。図４（ｃ）には、「a@aaa.bbb.ccc」、「b@ddd.eee.fff」、「新規」の３人に対して電子メールを送信する場合を示した。なお、メールアドレスは、最近選択したアドレスが優先的にリストの上位に表示されるものとする。こうすることで、頻繁に画像データを送信する相手を容易に選択することが可能になる。
【００４４】
説明を図３に戻す。ＣＰＵ１６０は、画像データとメールアドレスの予備選択を終了すると、次に、予備選択によって選択された範囲の画像データをメモリカードＭＣやフラッシュメモリ１９０から入力する（ステップＳ１１０）。そして、入力した画像データと上記ステップＳ１００で選択されたメールアドレスとを配置したオーダシートＳＴを生成し、印刷する（ステップＳ１２０）。
【００４５】
図５は、上記ステップＳ１２０で生成・印刷されたオーダシートＳＴの一例を示す説明図である。図示するように、このオーダシートＳＴには、送信アドレス欄Ｃ１と、サイズ調整欄Ｃ２と、画像指定欄Ｃ３と、件名記入欄Ｃ４と、本文記入欄Ｃ５と、サーバアドレス欄Ｃ６と、自己アドレス欄Ｃ７とが設けられている。
【００４６】
送信アドレス欄Ｃ１には、上記ステップＳ１００で指定されたメールアドレスが配置される。図５には、図４（ｃ）において選択された２つのメールアドレス（「a@aaa.bbb.ccc」と「b@ddd.eee.fff」）と、新規のアドレスを記入するための欄Ｃ１１が設けられている例を示した。ユーザは、新規のアドレスを記入する欄Ｃ１１に対して、画像データを送信しようとする新規のメールアドレスを筆記具で記入する。
【００４７】
サイズ調整欄Ｃ２は、送信する画像データのサイズを調整するために設けられた欄である。このサイズ調整欄Ｃ２では、３２０サイズ、６４０サイズ、９６０サイズ、１２８０サイズの４段階のサイズを指定可能としている。各サイズの数値は、サイズ調整後の画像データの長辺のピクセル数を表している。ユーザは、各サイズの左側に配置したマーキング欄を筆記具で塗りつぶすことで、画像データのサイズを調整することができる。ただし、いずれのマーキング欄も塗りつぶされない場合には、画像データのサイズ調整は行われない。なお、どのマーキング欄も塗りつぶされない場合に、デフォルトのサイズ（例えば、１０２４サイズ）に画像データのサイズを変更するものとしてもよい。
【００４８】
画像指定欄Ｃ３には、上記ステップＳ１１０で入力した画像データの縮小画像が配置される。図５には、１０枚の画像が配置されている場合を示している。各画像の下部には、「ａ」「ｂ」「ｃ」と付されたマーキング欄が用意されている。このマーキング欄は、それぞれ、送信アドレス欄Ｃ１に「ａ」「ｂ」「ｃ」と記載された各メールアドレスに対応している。すなわち、「ａ」と付されたマーキング欄を筆記具で塗りつぶすと、メールアドレス「a@aaa.bbb.ccc」にその画像データが送信され、「ｂ」と付されたマーキング欄を筆記具で塗りつぶすと、メールアドレス「b@ddd.eee.fff」にその画像データが送信されることになる。また、「ｃ」と付されたマーキング欄を筆記具で塗りつぶすと、新規のメールアドレスにその画像データが送信されることになる。なお、図５では、送信アドレス欄Ｃ１に記載された送信先の数と同数のマーキング欄（「ａ」「ｂ」「ｃ」）が設けられているが、マーキング欄をもう一つ（例えば、「ｚ」）用意し、かかるマーキング欄が塗りつぶされた場合に、送信先全てに対して、その画像を送信するものとしてもよい。こうすることにより、送信先として全員を選択することが容易となる。
【００４９】
件名記入欄Ｃ４は、送信する電子メールの件名を記入するための欄である。ユーザは、この件名記入欄Ｃ４に対して、電子メールの件名を筆記具で記入する。この記入が省略された場合には、デフォルトの件名、例えば、「写真（ｘｘより）」といった件名が電子メールに付与される。「ｘｘ」の部分は、印刷装置１００に予め設定されているユーザの名前を表している。
【００５０】
本文記入欄Ｃ５は、電子メールの本文を記入する欄である。ユーザは、この本文記入欄Ｃ５に対して、電子メールの本文を筆記具で記入する。ここに記入した本文は、スキャナ１１０によって画像データとして取り込まれ、電子メールに添付される。
【００５１】
サーバアドレス欄Ｃ６は、電子メールの送信に利用するメールサーバＳＶのＩＰアドレスを記入する欄である。多くの場合は、ユーザが加入するインターネットプロバイダに用意されたＳＭＴＰサーバのアドレスを記入することになる。ただし、印刷装置１００に予めこのアドレスが設定されている場合には、この欄の記入は省略可能である。なお、メールサーバＳＶは、例えば、印刷装置１００の製造メーカが独自に用意するものとし、そのＩＰアドレスが印刷装置１００に予め設定されているものとしてもよい。
【００５２】
自己アドレス欄Ｃ７は、電子メールを送信しようとするユーザのメールアドレスを記入する欄である。ただし、印刷装置１００に予めユーザのメールアドレスが設定されている場合には、この欄の記入は省略するものとしてもよい。
【００５３】
ここで、説明を図３に戻す。ユーザは、上記ステップＳ１２０によって印刷されたオーダシートＳＴに対して、必要な事項の記入を行う（ステップＳ１３０）。図６は、ユーザによって必要な事項が記入されたオーダシートＳＴの例を示している。ユーザは、オーダシートＳＴの記入を終えると、そのオーダシートＳＴをスキャナ１１０にセットし、操作パネルを用いて、オーダシートＳＴの読取開始操作を行う。
【００５４】
ＣＰＵ１６０は、ユーザによる読取開始操作を検出すると、スキャナ１１０を用いて、オーダシートＳＴを読み取り、記入された事項の解析を行う（ステップＳ１４０）。
【００５５】
更に、ＣＰＵ１６０は、新規のメールアドレスの記入欄Ｃ１１や、件名記入欄Ｃ４、サーバアドレス欄Ｃ６、自己アドレス欄Ｃ７など、オーダシートＳＴに記入された手書き文字をテキスト形式に変換する文字認識処理を行う（ステップＳ１５０）。この処理は、周知のＯＣＲ技術によって実現することができる。なお、本実施例では、本文記入欄Ｃ５に記入された文字については、文字認識は行わず、メッセージを表す画像データとして、上記ステップＳ１４０において読み込みを行うものとする。こうすることにより、文字認識処理を簡略化することができるとともに、文字以外のイラスト等を本文に含ませることが可能になる。しかし、もちろん、本文についても件名等と同様に文字認識処理を行うものとしてもよい。
【００５６】
次に、ＣＰＵ１６０は、オーダシートＳＴのサイズ調整欄Ｃ２によって指定されたサイズに、各画像データのサイズを調整する（ステップＳ１６０）。そして、画像指定欄Ｃ３によって指定された送信先に対して、それぞれ、指定された画像データを添付するとともに、本文記入欄Ｃ５に記入されたメッセージや、件名記入欄Ｃ４に記入された件名、自己アドレス欄Ｃ７に記入された自己のメールアドレスを付与した電子メールを生成する（ステップＳ１７０）。
【００５７】
最後に、ＣＰＵ１６０は、サーバアドレス欄Ｃ６によって指定されたメールサーバＳＶを経由して、上記ステップＳ１７０で生成した電子メールを送信する。図７には、送信された電子メールの一例を示した。
【００５８】
以上で説明した本実施例の印刷装置１００によれば、電子メールに添付して送信を行おうとする画像データを、印刷装置１００に備えられた液晶モニタ１４５ではなく、オーダシートＳＴの中から選択することができる。そのため、小さな画面で画像データの選択を行う必要がなく、ユーザの利便性を向上させることができる。また、本実施例のオーダシートＳＴを用いれば、画像データや送信先の選択だけではなく、画像データのサイズの指定やメールサーバの指定などの種々の設定も行うことができるので、コンピュータの操作に不慣れな者でも、画像データを添付した電子メールの送信を容易に行うことが可能になる。
【００５９】
Ｃ．変形例：
以上、本発明の種々の実施例について説明したが、本発明はこのような実施例に限定されず、その趣旨を逸脱しない範囲で種々の構成を採ることができることはいうまでもない。例えば、ソフトウェアによって実現した機能は、ハードウェアによって実現するものとしてもよい。そのほか、以下の変形が可能である。
【００６０】
（Ｃ１）変形例１：
オーダシートＳＴのレイアウトは、図４に示した以外にも、種々の態様をとることができる。例えば、サーバアドレス欄Ｃ６や自己アドレス欄Ｃ７を省略するものとし、これらの設定はすべて印刷装置１００の操作パネル１４０を用いて行うものとしてもよい。また、件名記入欄Ｃ４や本文記入欄Ｃ５を省略するものとし、電子メールには、印刷装置１００に予め記憶されたデフォルトの件名や本文が付与されるものとしてもよい。また、送信アドレス欄Ｃ１を省略し、送信先の電子メールアドレスは、印刷装置１００の操作パネル１４０を用いて全て指定するものとしてもよい。
【００６１】
（Ｃ２）変形例２：
図４に示したオーダシートＳＴにおいて、件名記入欄Ｃ４やサーバアドレス欄Ｃ６、自己アドレス欄Ｃ７には、デフォルトの件名もしくは、予め設定されたＩＰアドレスが、薄い色で、これらの欄に予め印刷されるものとしてもよい。ユーザは、デフォルトとは異なる件名や、通常とは異なるメールサーバを利用するときにこれらの欄の記入を行えばよい。こうすることにより、ユーザは、デフォルトの件名やサーバアドレス等がどのように設定されているかを容易に確認することができる。このような構成では、印刷装置１００のＣＰＵ１６０は、オーダシートＳＴをスキャナで読み込む際に、オーダシートＳＴに印刷された薄い色を除去する画像処理を行うことで、薄い色の文字の上に手書きされた文字を抽出することができる。
【００６２】
（Ｃ３）変形例３：
上記実施例では、印刷装置１００が、画像データを電子メールに添付して送信する際に、オーダシートＳＴを用いて画像データを選択するものとした。これに対して、例えば、画像データを蓄積するサーバ（ＷｅｂサーバやＦＴＰサーバ等）に画像データを転送する際に、転送する画像データの選択をオーダシートＳＴによって行うものとしてもよい。また、画像送信装置としてのファクシミリ装置が、電話回線を通じて他のファクシミリ装置等に画像を送信する際に、送信する画像の選択をオーダシートＳＴによって行うものとしてもよい。上記実施例では、画像データの送信先を、電子メールアドレスを用いて指定するものとしたが、画像データを蓄積するサーバの指定は、ＩＰアドレスやＵＲＬによって行うことができ、ファクシミリ装置の指定は、電話番号によって行うことができる。
【００６３】
（Ｃ４）変形例４：
上記実施例では、液晶モニタ１４５に表示された所定のＧＵＩによって、画像データの予備選択を行うものとしたが、この処理は省略するものとしてもよい。この場合、メモリカードＭＣ等から入力した全ての画像データをオーダシートＳＴに印刷し、その中からユーザが所望の画像データを選択するものとする。また、送信先の電子メールアドレスも、ＧＵＩによって予備選択を行うものとしたが、フラッシュメモリ１９０に記憶されているアドレスのリストを全てオーダシートＳＴに印刷することで、その中から所望の送信先を選択するものとしてもよい。また、送信先の電子メールアドレスは、オーダシートＳＴ上で全て手書きで記入するものとしてもよい。
【００６４】
（Ｃ５）変形例５：
上記実施例では、印刷装置１００が単体で、画像データの入力や、オーダシートＳＴの印刷、その読み取り、画像データの送信を行うものとした。これに対して、印刷装置１００とコンピュータとを接続し、コンピュータに所定のプログラムをインストールすることで、上述した電子メール送信処理と同等の処理を実行するものとしてもよい。この場合、コンピュータが画像データの入力を行い、印刷装置１００にオーダシートＳＴの印刷をさせ、印刷装置１００を介してオーダシートＳＴを読みとり、指定された送信先に対して、画像データを添付した電子メールを送信するものとすることができる。このような構成では、印刷装置１００とコンピュータとによって構成されるシステムが、本願の画像送信装置に相当することになる。
【図面の簡単な説明】
【００６５】
【図１】印刷装置１００の構成を示す説明図である。
【図２】印刷装置１００の内部構成を示す説明図である。
【図３】電子メール送信処理のフローチャートである。
【図４】液晶モニタ１４５に表示されるＧＵＩの例を示す説明図である。
【図５】オーダシートの一例を示す説明図である。
【図６】オーダシートの記入例を示す説明図である。
【図７】送信された電子メールの一例を示す説明図である。
【符号の説明】
【００６６】
１００...印刷装置
１１０...スキャナ
１２０...メモリカードスロット
１３０...赤外線インタフェース
１３５...ネットワークインタフェース
１４０...操作パネル
１４５...液晶モニタ
１５０...制御回路
１６０...ＣＰＵ
１７０...ＲＯＭ
１８０...ＲＡＭ
１９０...フラッシュメモリ
２１０...キャリッジ
２１１...インクヘッド
２１２...インクカートリッジ
２２０...キャリッジモータ
２３０...紙送りモータ
２６０...駆動ベルト
２７０...プラテン
２８０...摺動軸
ＭＣ...メモリカード
ＩＮ...インターネット
ＣＰ...携帯電話
ＳＴ...オーダシート
ＳＶ...メールサーバ
【図１】
0004561648.tif 000002
【図２】
0004561648.tif 000003
【図３】
0004561648.tif 000004
【図４】
0004561648.tif 000005
【図５】
0004561648.tif 000006
【図６】
0004561648.tif 000007
【図７】
0004561648.tif 000008